(57)【要約】パケットベースの通信システム（１０）におけるパケット・スケジューリングを容易にすべく、ＴＶＭＡＲ（トラフィック量の測定及び報告）報告又は別の適切な報告を生成するための装置（３８）及び関連する方法。後に移動局（１２）が生成するＴＶＭＡＲ報告に移動局（１２）が含むことになるパラメータを示す信号が、無線通信システムのネットワーク部（１４）において生成される。この信号は、信号生成器（４２）によって生成されて移動局（１２）に送信され、検出器（５４）によってそこで検出される。通信証印は、測定器（１２）によって測定され、選択されたパラメータの測定された値は、ＴＶＭＡＲ報告内に形成され、ネットワーク部（１４）に返信される。
2006513589.tif 000002
【特許請求の範囲】
【請求項１】
無線通信システムのネットワーク部と通信すべく動作可能な移動局を有する無線通信システムにおける、高データレート通信サービスに準拠する前記移動状態と関連する通信証印を前記ネットワーク部に報告するための前記移動局に対する装置の改良であって、
前記移動局に送信されるネットワークが提供する通信証印パラメータを検出するための通信証印パラメータ検出器と、
前記通信証印パラメータ検出器に接続された通信証印測定器であって、前記移動局に送信されて前記通信証印パラメータ検出器によって検出される前記ネットワークが提供する通信証印パラメータによって識別される前記通信証印の値を測定するための通信証印測定器と、
前記通信証印測定器に接続された通信証印報告器であって、前記通信証印測定器によって測定された値を前記ネットワーク部に報告するための通信証印報告器と、
で構成される装置。
【請求項２】
請求項１に記載の無線通信システムにおける、前記通信証印の前記移動局による報告を容易にするための前記ネットワーク部に対する装置の更なる改良であって、
前記通信証印パラメータが検出する前記ネットワークが提供する通信証印パラメータを代表する値を含む通信証印パラメータ種類信号を、前記移動局への通信のために、生成するための選択的に動作可能な通信証印パラメータ種類信号生成器、
で構成される装置。
【請求項３】
前記移動局は、前記通信サービスを実現すべくその通信に先立ってデータをバッファリングするための移動局バッファで構成され、前記ネットワークが提供する通信証印パラメータは、その値が前記通信証印パラメータ種類信号生成器によって生成される前記通信証印パラメータ種類信号に含まれ、バッファ局に関連する証印で構成される、請求項２に記載の装置。
【請求項４】
前記バッファ状態に関連する証印は、瞬時バッファ局証印で構成される、請求項３に記載の装置。
【請求項５】
前記バッファ状態に関連する証印は、平均バッファ状態証印で構成される、請求項３に記載の装置。
【請求項６】
前記バッファ状態に関連する証印は、使用量の分散の証印で構成される、請求項２に記載の装置。
【請求項７】
無線通信システムのネットワーク部と通信すべく動作可能な移動局を有する無線通信システムにおける、データ通信サービスに準拠する前記移動局と関連する通信証印を前記ネットワーク部に報告するための前記移動局に対する装置の改良であって、前記通信サービスを実現すべく前記移動局によって前記ネットワーク部に通信されるデータは、前記ネットワーク部への通信に先立って移動局バッファにおいてバッファリングされ、
バッファ状態証印の指示を少なくとも受信すべく接続された、前記バッファ状態証印の選択値を測定するためのバッファ状態測定器と、
前記移動局バッファにおける前記データのバッファリングに関して報告すべく、通信のためのバッファ状態メッセージを前記ネットワーク部に対して生成するための、前記バッファ状態測定器に接続された、バッファ状態メッセージ生成器と、
で構成される装置。
【請求項８】
前記バッファ状態メッセージ生成器によって生成される前記バッファ状態メッセージは、複数ビットの値で構成される、請求項２に記載の装置。
【請求項９】
前記バッファによって測定される前記選択値は、第１の時刻において及び少なくとも第２の時刻において測定され、前記バッファ状態メッセージ生成器によって生成されるバッファ状態メッセージは、前記第１の時刻及び前記第２の時刻において測定される選択値の間における差を表す値の差分メッセージで構成される、請求項２に記載の装置。
【請求項１０】
前記バッファ状態メッセージ生成器によって生成される前記差分メッセージは、単ビットのメッセージで構成される、請求項９に記載の装置。
【請求項１１】
前記バッファ状態メッセージ生成器によって生成される前記バッファ状態メッセージは、連続する選択された間隔において生成される、請求項７に記載の装置。
【請求項１２】
前記バッファ状態メッセージ生成器は、選択されたイベントの発生に反応した選択値のトリガ信号を受信すべく更に接続され、前記バッファ状態メッセージ生成器によって生成される前記バッファ状態メッセージは、前記選択値の前記トリガ信号を検出したときに生成される、請求項７に記載の装置。
【請求項１３】
前記無線通信システムは、物理層を含むプロトコル層に関して規定され、前記バッファ状態メッセージ生成器によって生成される前記バッファ状態メッセージは、前記物理層において通信される物理層メッセージで構成される、請求項７に記載の装置。
【請求項１４】
前記無線通信システムは、物理層及び少なくとも１つのより高い層を含むプロトコル層に関して規定され、前記バッファ状態メッセージ生成器によって生成される前記バッファ状態メッセージは、前記より高い層において生成されるメッセージで構成される、請求項７に記載の装置。
【請求項１５】
前記少なくとも１つのより高い層は、レイヤー３で構成され、前記バッファ状態メッセージは、前記レイヤー３層において形成されるレイヤー３・メッセージで構成される、請求項１４に記載の装置。
【請求項１６】
前記無線通信システムは、１ｘＥＸ−ＤＶデータ・サービスを規定するｃｄｍａ２０００動作規格に一般に準拠して動作可能なセルラー通信システムで構成され、前記バッファ状態メッセージ生成器によって生成される前記バッファ状態メッセージは、前記１ｘＥＸ−ＤＶデータ・サービスを実現すべく逆リンク・チャンネルを割り当てる逆リンク・チャンネル・スケジューリングを行うために用いられる、請求項１４に記載の装置。
【請求項１７】
無線通信システムのネットワーク部と通信すべく動作可能な移動局を有する無線通信システムにおける通信の方法における、高データレート通信サービスに準拠する前記移動状態と関連する通信証印を前記ネットワーク部に報告するための前記移動局に対する装置の改良であって、
移動局バッファと関連するバッファ状態証印の選択値を測定することと、
前記移動局バッファにおけるデータのバッファリングに関して報告すべく通信のためのバッファ状態メッセージを前記ネットワーク部に対して生成することと、
を含む方法。
【請求項１８】
前記測定する動作に先立つ、
通信のための通信証印パラメータ種類信号を前記移動局に対して生成する動作であって、前記測定する動作の間に測定されるバッファ状態証印の前記選択値を代表する値を前記通信証印パラメータ種類信号が含む、生成する動作と、
前記通信証印パラメータ種類信号を前記移動局に、そこで検出されるように、送信する動作と、
で更に構成される、請求項１７に記載の方法。
【請求項１９】
前記移動局に送信される前記通信証印パラメータ種類信号に含まれる前記値を検出する動作を更に含み、
前記測定する動作の間に測定される前記選択値は、前記通信証印パラメータ種類信号に含まれる前記値に反応して選択される、
請求項１８に記載の方法。
【請求項２０】
前記測定する動作の間に測定される値を前記ネットワーク部に報告する動作を更に含む、請求項１７に記載の方法。
【発明の詳細な説明】
【技術分野】
【０００１】
関連出願の相互参照
本出願は、２００２年６月７日に出願された仮特許出願第６０／３８６，８１５号の利益を主張する。
【０００２】
本発明は、一般に、ｃｄｍａ２０００システムのような、セルラー通信システム又は別の無線通信システムにおけるパケット・データ通信のスケジューリングを容易にするための情報を提供する方法に関する。より具体的には、本発明は、通信サービスを実現すべく移動局に対してパケット・データの通信をスケジュールするために用いられる、移動局において生成されるＴＶＭＡＲ（トラフィック量の測定及び報告）報告のような、逆リンク・トラフィック測定報告を容易にする装置及び関連する方法に関する。
【０００３】
この報告は、パケット・データ・スケジューリングを実行可能とするための情報を適時に提供する。更に、この報告はまた、データ・サービスに準拠するパケット・データが通信される選択されたデータ・レートを要求するデータレート要求を形成する。この報告に含まれるパラメータは、通信システムのネットワーク部において選択される。更に、選択されたパラメータは、移動局に通信され、移動局は、報告される値がデータ・スケジューリングに利用できるように、選択されたパラメータの値を用いて、適時に報告を行うことが可能となる。
【背景技術】
【０００４】
通信システムは、２つ以上の通信局の間で通信すべく動作する。通信システムは、最小で、送信局を形成する第１の通信局及び受信局を形成する第２の通信局で形成される。通信局は、通信チャンネルを介して相互接続される。更に、第１の通信局によって第２の通信局へ通信されることになるデータは、通信チャンネルを介して第２の通信局へ送信される。通信されることになるデータは、通信チャンネル上でのその通信を可能にする形態へ第１の通信局によって変換される。更に、第２の通信局は、そこへ通信されたデータを検出し、その情報コンテンツを再生すべく動作する。
【０００５】
通信局間におけるデータの通信を実現すべく、多くの異なる種類の通信システムが、開発され、構築されてきた。更に、引き続く通信技術の進歩と共に、新しい種類の通信システム並びに既存の通信システムに対する改良がなされてきており、それは続いている。
【０００６】
無線通信システムは、典型的な種類の通信システムである。無線通信システムは、動作可能な通信局間で通信されることになるデータを通信する無線通信チャンネルを利用する。無線通信チャンネルは、電磁スペクトルの一部を形成する無線リンク上で規定される。無線リンクであって、該リンク上で通信チャンネルを規定する無線リンクが利用されるとき、有線接続であって、該接続上で通信チャンネルを規定する有線接続を利用する別の必要性は、不要である。無線通信システムの構築は、旧来の有線通信システムを構築するのに必要となる相当するコストほど、一般に高価ではない。更に、無線通信システムは、移動体通信システムを形成すべく構築することができる。
【０００７】
無線通信システムの典型であるセルラー通信システムは、広く使用され、広いレベルの使用量を獲得してきた。セルラー通信システムは、移動局を有する無線通信を規定する。移動局によって、電話通信を実現することが可能である。地理的な範囲にわたって設置され、移動局が無線チャンネルを介して通信する対象である、ネットワーク部を、セルラー通信システムは含む。通信システムのネットワーク部の一部を形成する基地送受信局は、通信システムが網羅することになる地理的な範囲にわたって隔たった配置で設置される。各基地送受信局は、地理的な範囲の一部から形成されるセルを規定する。移動局が基地送受信局の規定するセル内にあるとき、通信は一般に、セルを規定する基地送受信局を用いて実現可能となる。
【０００８】
基地送受信局の異なるものが規定するセルの間で移動局が動くと、移動局による及び移動局を用いた継続的な通信を可能とすべく、通信ハンドオフが実行される。基地送受信局の適切な配置により、移動局と基地送受信局との間で通信を実現するには、相対的に低い出力の信号しか生成する必要がない。移動局がセルの間で動くとき、連続する基地送受信局の間での通信のハンドオフは、通信信号を送信する出力レベルの増加を伴うことなく継続的な通信を可能とする。更に、通信を実現するために相対的に低い出力の信号しか生成する必要がないので、同一のセルラー通信システムの異なる位置において同一の無線チャンネルを再利用することができる。その結果、このセルラー通信システムに対する周波数スペクトルの割り当ての効率的な利用が可能である。
【０００９】
セルラー並びに別の通信システムを実現可能とする手段である動作パラメータを規定する様々な動作規格が、公表されてきた。技術的進歩、かかる進歩は利用可能であるが、を盛り込むセルラー通信システムの歴代の世代は、歴代の世代の動作規格又は動作規格に対する更新によって規定されてきた。第１世代及び第２世代のシステムは、広く実施され、著しいレベルの使用量を獲得してきた。更に、第３世代及び次世代のシステムの導入が、提案されてきた。ｃｄｍａ２０００と称される代表的な動作規格は、代表的な第３世代の通信システムの動作パラメータを説明する。ｃｄｍａ２０００動作規格並びに別の第３世代の動作規格は、パケットベースのデータ通信サービスを規定する。
【００１０】
かかるパケットベースのデータ・サービスを実現すべく、通信サービスを実現するようにデータ・パケットの通信をスケジュールするパケット・スケジューラが利用される。データ・パケットの通信を適切にスケジュールするために、パケット・データが通信されることになる無線チャンネル上における通信状態の指示を、スケジューラは受け取る必要がある。ｃｄｍａ２０００動作規格に関する提案において、逆リンク・トラフィック量の測定及び報告（ＲＬ−ＴＶＭＡＲ）報告が規定されている（例：３ＧＰＰ規格、文献番号ＴＳ  ２５．３３１［１］）。トラフィックの測定及び報告に対する目的は、通信システムのネットワーク部において、スケジューラによる逆リンク・パケット・データ・スケジューリングを効率的に実行することである。
【００１１】
フィードバック情報は、例えば、パケット・データの送信に先立って、それをバッファリングする移動局におけるバッファのバッファ状態を含む。更に、情報は、逆リンク活動指示をも含む。
【００１２】
既存のＴＶＭＡＲ報告の提案は、様々な点で不十分である。既存の提案は、別の逆チャンネルと共に、専用チャンネル、共通チャンネル、又は時間多重サブチャンネル上で様々に通信される１ビット状態報告を、一般的に規定する。かかる単ビット状態報告は、無線フレーム毎の原則又はオンデマンドの原則によって、様々に報告されることになる。
【００１３】
単ビット状態報告は、予期的にも履歴的にも、ほんの限定的な情報しか提供しない。更に、既存の提案は、未承諾の原則での単ビット状態報告の通信を説明する。ネットワーク部が報告を適切に利用できない時間に状態報告が送られる場合、状態報告は、本質的に有用ではない。更に、測定形式、測定期間、及び報告トリガは、ネットワーク部の測定に必ずしも基づいておらず、それにより、システム効率の最適性が限定される。
【００１４】
従って、パケット・スケジューラのような資源管理器（resource manager）にＴＶＭＡＲ及びその他の類似の報告を備えるための改良された報告機構は、有利となろう。
【００１５】
本発明の著しい改良点が発展してきたのは、新世代セルラー通信システム又は別の無線通信システムにおけるパケットベースの通信サービスに関連するこの背景情報の観点からである。
【００１６】
本発明の要約
本発明は、セルラー通信システム又は別の無線通信システムにおいて通信されるパケット・データのスケジューリングを容易にする情報を提供する装置及び関連する方法を適宜に好都合に与える。
【００１７】
本発明の実施形態の実施によって、逆リンク・トラフィック測定報告が容易になる。移動局において生成されるＴＶＭＡＲ（トラフィック量の測定及び報告）報告のような報告は、通信サービスを実現すべく移動局とのパケット・データの通信をスケジュールするために、用いられる。
【００１８】
パケット・データ・スケジューリングの実行を可能とする情報を提供する適時の報告が生成される。データ・サービスに準拠するパケット・データが通信される選択的データ・レートを要求するデータレート要求をも、この報告は形成する。報告に含まれるパラメータは通信システムのネットワーク部において選択される。選択されたパラメータは、移動局に通信され、報告された値をデータ・スケジューリングにおいて用いることができるように適時の方法で、システム・パラメータの値を用いて、移動局に報告させる。
【００１９】
本発明の一態様において、無線通信システムのネットワーク部は、移動局とのパケットベースの通信サービスをスケジュールするために後に用いられるＴＶＭＡＲ報告に含まれることになるパラメータを選択する。どのパラメータがＴＶＭＡＲ報告に含まれるかに関してネットワーク部において決定がなされるので、最適な方法でパケット・スケジューリングを最善に決定するために必要な情報は、より望ましく確保される。
【００２０】
本発明の別の態様において、その値が後に生成されるＴＶＭＡＲ報告に含まれることになるパラメータが決定されると、パラメータ種類を示す信号が形成される。この信号は、ネットワーク部によって移動局に送信され、そこで検出される。一実施において、この信号は、より高い層である、レイヤー３（Ｌ３）のバイナリ・ラージ・オブジェクト・ブロック（ＢＬＯＢ）を形成する。ＢＬＯＢは、無線チャンネルを介して移動局に通信される。
【００２１】
本発明の別の態様において、移動局は、ネットワークによってそこへ送信された信号を検出し、後に移動局が生成するＴＶＭＡＲ報告に含まれることになるパラメータの指示をそこから抽出する。それに反応して、移動局は、選択されたパラメータの値を測定するか、或いは入手すべく、動作する。移動局が測定するか、或いは入手した値は、通信システムのネットワーク部に対して生成されて返信されるＴＶＭＡＲ報告を読み込むために用いられる。ＴＶＭＡＲに含まれる値は、一旦ネットワーク部において受信されると、移動局との通信サービスを実現すべくパケット・データ通信をスケジュールするパケット・スケジューリングを実行するために用いられる。
【００２２】
本発明の別の態様において、ｃｄｍａ２０００システムは、プロトコル層に関して規定される。リンク層は、ＲＬＰ（無線リンク・プロトコル）層を含む。ＲＬＰ層において、ＲＬＰバッファ状態の情報及び統計が入手可能である。ＲＬＰ層において測定される統計は、パケット・スケジューリングの目的で用いられる、通信システムのネットワーク部に通信されるＴＶＭＡＲ報告を移動局において形成するために用いられる。
【００２３】
ＴＶＭＡＲ報告は、例えば、選択された間隔で、又はトリガ状態に反応して生成される。トリガ状態に反応して生成される場合、この報告は、例えば、トリガ・イベントの発生に続く選択された期間において生成される。
【００２４】
本発明の別の態様において、ＴＶＭＡＲ報告は、差分報告型又は完全報告型から選択可能である。完全報告は、移動局が測定する統計の及び状態の値を含む複数ビット報告である。更に、差分報告は、以前の報告に対する状態値の差の指示を示す、例えば単ビット等の減少されたビット数の値から成る。差分報告は、上昇値、下降値、又は一定値として解釈される。
【００２５】
移動局が報告する値は、通信システムのネットワーク部が要求するパラメータから成るので、情報は、パケット・データ通信のスケジューリングに対して適切となる傾向がより一層ある。更に、報告がネットワーク部の要求に反応して生成される場合、報告は、ネットワーク部が報告に含まれる値を適切に利用することができる期間中に、ネットワーク部に配信される傾向がより一層ある。
【００２６】
その結果、これらの及び別の態様において、無線通信システムに対する装置及び関連する方法が提供される。無線通信システムは、通信ステムのネットワーク部と通信すべく動作可能な移動局を有する。移動局に関連する通信証印（communication indicia）は、高データレート通信サービスに準拠するネットワーク部に対して、移動局によって報告される。通信証印パラメータ検出器は、移動局に送信されるネットワークが提供する通信証印を検出する。通信証印測定器は、通信証印パラメータ検出器に接続される。通信証印測定器は、移動局に送信されて通信証印パラメータ検出器によって検出されるネットワークが提供する通信証印パラメータが識別する通信証印の値を測定する。通信証印報告器は、通信証印測定器に接続される。通信証印報告器は、通信証印測定器が測定した値をネットワーク部に対して報告する。
【００２７】
本発明のより完全な応用及びその範囲は、以下で簡単に要約される添付の図面、本発明の現在望ましい実施形態の以下での詳細な説明、及び添付の請求項から得ることができる。
【００２８】
詳細な説明
図１を参照すると、一般に１０で示される通信システムは、移動局１２が代表する移動局を有する無線通信を規定する。通信システムは、インター・アリア（inter alia）を有するネットワーク部、基地送受信局１４が代表する複数の定位置の基地送受信局を含む無線部を含む。基地送受信局と移動局は、ここでは１６で示す無線リンク上で規定される無線チャンネルを介して相互接続される。基地送受信局が移動局にデータを通信する順リンク・チャンネルが規定される。更に、移動局が基地送受信局にデータを通信する逆リンク・チャンネルが規定される。
【００２９】
図に示した模範的な実施において、通信システム１０は、提案されたｃｄｍａ２０００動作規格に準拠する、一般に動作可能なセルラー通信システムを形成する。標準的な規格に準拠して構築される通信システムは、１ｘＥＶ−ＤＶ通信サービスのような高データ・レート通信サービスを規定する。別の実施において、例えば１ＸＴＲＥＭＥ及び１ｘＥＶ−ＤＯのデータ・サービス等の、別の種類のデータ・サービスが、代わって提供される。
【００３０】
通信システム１０は、別の種類のパケット無線通信システムをも代表する。従って、以下の詳細な説明では、１ｘＥＶ−ＤＶデータ通信サービスを規定するｃｄｍａ２０００システムにおける実施に関して、本発明の一実施形態の動作を述べるが、本発明は、別の通信方式に準拠する動作可能なセルラー通信システム及び別の通信システムにおいても同様に実施可能である。
【００３１】
パケットベースのデータ通信サービスは、移動局１２並びに通信システム内で動作可能な別の移動局を用いて実現可能である。データ通信サービスを効率的に実現するために、通信サービスを実現すべくデータ・パケットの通信をスケジュールするパケット・スケジューリングが必要である。データ・パケット通信を適切にスケジュールするために、例えば、通信サービスの実施中にデータがバッファリングされる移動局におけるバッファ状態等の情報が必要である。
【００３２】
通信システムのネットワーク部の無線部は、基地送受信局に接続された無線ネットワーク・コントローラ（ＲＮＣ）２２を含む。無線ネットワーク・コントローラは、通信システムの無線部における動作を制御する制御機能を実現すべく動作する。次に、無線ネットワーク・コントローラは、ゲートウェイ（ＧＷＹ）２４に接続される。ゲートウェイ２４は、通信システムの無線部を、ここではパケット・データ・ネットワーク（ＰＤＮ）２８である固定ネットワークに接続するゲートウェイを形成する。データ・サーバ３２のようなデータ源は、ネットワーク２８に接続され、あるデータ・サービスに準拠する移動局に通信されることになるデータの調達先であるデータ源を提供する。データ・サーバと移動局１２との間の通信経路を形成することにより、データをフォーマットしてなしたデータ・パケットは、移動局に通信される。
【００３３】
通信システムの無線部は、基地送受信局に対する無線ネットワーク・コントローラにおいて具現されるか、又はそれらの間に分配される無線資源管理器３６をも含む。無線資源管理器は、本発明の一実施形態の装置３８を含む。装置３８は、通信証印パラメータ種類信号生成器４２を形成する。信号生成器４２は、移動局に対する通信のための信号を形成すべく動作する。信号生成器が生成した信号は、移動局において生成されるＴＶＭＡＲ（トラフィック量の測定及び報告）報告の中に後に含むために、移動局が測定すべき或いは入手すべきパラメータを指示する。無線資源管理器は、後に生成されるＴＶＭＡＲ報告に含まれることになるパラメータを識別するので、無線資源管理器、又はパケット・スケジューリングを実行する通信システムの別の機能構造が要求する情報は、ＴＶＭＡＲ又は別の適切な報告に含まれる傾向がある。信号生成器４２が生成する信号は、一旦生成されると、無線リンク１６上で規定される順リンク・チャンネル上に、基地送受信局によって送信される。
【００３４】
移動局は、ここでは受信部４６及び送信部４８で示す送受信回路を含む。移動局は、本発明の一実施形態の装置３８を含むコントローラ５２をも含む。装置３８は、処理回路が実行可能なアルゴリズム等の、あらゆる望ましい方法で実施可能な機能要素を含む。
【００３５】
この装置は、受信部４６に接続された通信証印パラメータ検出器５４を含む。検出器は、信号生成器４２が生成した信号の、移動局の受信部における配信を検出する。検出器が検出したパラメータの指示は、通信証印測定器５６に与えられる。通信証印測定器は、検出器５４が検出したパラメータの値を測定すべく動作する。例えば、受信部４６において受信される付加的な信号に基づいて、測定は実行される。線５８は、測定器の受信部に対する接続を表す。
【００３６】
装置３８は、実行された測定の指示を受け取るべく測定器５６に接続された通信証印報告器６２を更に含む。報告器は、信号生成器４２が生成した信号に含まれるパラメータの、測定器５６によって測定された、値を含むＴＶＭＡＲ報告又は別の報告を生成すべく動作する。ＴＶＭＡＲ報告は、無線リンク１６上で規定される逆リンク・チャンネルを介して、基地送受信局１４に通信される。ＴＶＭＡＲ報告に含まれる値は、移動局とのパケットベースの通信サービスを実現すべくパケットデータ通信をスケジュールするパケット・スケジューリングを実行するために、用いられる。
【００３７】
信号生成器４２が選択したパラメータは、様々なパラメータ種類の内の任意のものから成り、例えば（各データ・サービス・インスタンスあたりの）瞬時送信バッファ使用量、例えば各データ・サービス・インスタンスあたりの移動局における平均送信バッファ使用量である例えばＳＲ＿ＩＤ、及び送信バッファ使用量の分散は、全て、ＴＶＭＡＲ報告に含むことが要求される、信号生成器４２が選択可能なパラメータである。更に、移動局バッファの平均送信バッファ使用量及び送信バッファ使用量の分散を測定するために要求される時間間隔も、測定すべきパラメータを選択的に形成する。
【００３８】
例えば、付加的なパラメータは、ＴＶＭＡＲ報告のトリガ種類、例えば低閾値及び高閾値である、周期的な又はイベント／閾値ベースのトリガのバッファ・サイズ閾値、ＴＶＭＡＲ報告種類を報告する差分ＴＶＭＡＲにおける完全ＴＶＭＡＲ報告の時間／時期、及びＴＶＭＡＲ報告識別（ＩＤ）を含み、これらは、全て、その値を用いて信号生成器が移動局にＴＶＭＡＲ報告を読み込むように命令するパラメータである。
【００３９】
図２は、図１に示した通信システム１０の一部を形成する装置３８の動作中に生成される信号伝達を表すメッセージ・シーケンス図を説明する。ここでは、模範的な実施において、通信証印パラメータ種類信号生成器３８は、無線資源管理器３６において具現され、ブロック４２で示したように、移動局が入手してＴＶＭＡＲ報告の中に入れることを要求されるＴＶＭＡＲパラメータの決定が実行される。信号は、信号生成器によって生成され、ここでは線分７２で示すが、移動局に送信される。模範的な実施において、パラメータ種類信号は、１ｘＥＶ−ＤＶ・レイヤー３（Ｌ３）・メッセージとして生成される。別の実施において、信号は、ＩＳ−７０７規格で規定されるｃｄｍａ２０００  ＱＯＳ＿ＢＬＯＢ（バイナリ・ラージ・オブジェクト・ブロック）、或いは新たな規格であるＴＶＭＡＲパラメータＢＬＯＢで、順リンク・チャンネル上においてフォーマットされる。例えば、Ｌ３・メッセージのフォーマットは、（修正）拡張予備チャンネル指定メッセージ、ＵＨＤＭ、（システム・パラメータ付き）同報メッセージ、及びその他のあらゆる適切なメッセージである。
【００４０】
移動局に配信され、その検出器で検出されると、通信証印測定器５６は、移動局に配信された信号に含まれるパラメータの値を測定する。一旦測定が実行されると、通信証印報告器は、ここでは線分７４で示す、返信されるようにもたらされる報告信号を通信システムのネットワーク部に対して生成する。報告信号は、選択された間隔で又は選択トリガ・イベントの検出に反応して、生成される。
【００４１】
図３は、プロトコル層に関して、通信システム１０を説明する。通信システムのネットワーク部の無線部１６は、移動局とのパケット・データ通信をスケジュールすべく動作する逆リンク・スケジューラ７６を含むプロトコル層に関して規定される。更に、スケジューラ７６の下に、逆リンク無線資源管理器３６が位置する。更に、物理層を形成する無線チャンネル７８は、無線資源管理器の下に位置する。
【００４２】
移動局１２も、無線チャンネル７８から形成される物理層を含む。逆リンク無線資源管理器８２は、その上に位置する。更に、逆リンク・プロトコル／メディア・アクセス制御（ＲＬＰ／ＭＡＣ）層８４は、資源管理器の上に位置する。パケット・データ・アプリケーション層８６は、その上に位置する。ここでは、移動局は、逆リンクＴＶＭＡＲ層８８を含むように示す。
【００４３】
ＲＬＰ／ＭＡＣ層８４は、パケット・データ・アプリケーション及び無線資源要素の「ミドル・ウェア（middle wear）」を形成する。送信バッファの状態及び統計は、逆リンク・トラフィック量を代表する。更に、バッファの測定及び報告が移動局の性能に最小限の影響しかもたらさないように、ＲＬＰ／ＭＡＣ要素は、無線資源要素に十分接近している。
【００４４】
前述したように、移動局において測定すべき送信バッファ測定は、特に、瞬時バッファ使用量、平均バッファ使用量、及びバッファ使用量の分散を含む。
【００４５】
量の報告は、例えば、ｍ＊ｓｔｅｐ＿ｓｉｚｅでフォーマットされる。ここで、ｍは、乗数値であり、ｓｔｅｐ＿ｓｉｚｅは、バッファ・サイズの選択されたステップ量である。例えば、ｓｔｅｐ＿ｓｉｚｅが１６ｋｂｐｓの値を有する場合、瞬時バッファ使用量が６４ｋｂｐｓに達すると、移動局は、ｍ＝４であると報告する。
【００４６】
図４は、移動局においてバッファリングされるパケット数の、時間の関数としての表示を示す。示したように、パケット数は、ここでは典型的な形で、時間の関数として変化する。移動局が生成する生成するＴＶＭＡＲ報告は、ここでは線分９２で示す周期的間隔である、選択された間隔で生成される。
【００４７】
図５は、移動局においてバッファリングされるパケット数の、やはり時間の関数としての類似の表示を示す。ここでは、移動局において生成される報告は、トリガ・イベントに反応して、生成される。ここでは、トリガ・イベントは、高閾値９４を超えるか又は低閾値９６未満となる、バッファリングされたパケット数である。報告は、ここでは線分９８で示すかかるトリガ・イベントの発生に反応して、生成される。
【００４８】
「ピンポン」報告、すなわち、バッファ・サイズが極端に短い時間周期で非常に著しく変化するときの極度に頻出する報告の発生、を防ぐために、報告の生成を選択された時間だけ遅延することができる。このことを確実にするために、報告の生成に先立って、少なくともかかる時間だけ、閾値は超過される。
【００４９】
ＴＶＭＡＲ報告又は別の適切な報告は、交互分散（alternate variance）を有する。完全報告及び差分報告。完全報告は、完全な状態及び統計の値を含む一方で、差分報告は、現在の状態と以前の状態との間のバッファ使用量の異なるシンジケーション（syndication）に関して報告する。基地局に対する逆リンク・データ・レート要求の指示として、すなわち、パケットが移動局と通信されるデータ・レートを増加させるか又は減少させるためにも、この指示は、用いられる。
【００５０】
差分報告は、移動局が生成し基地送受信局に送信される単ビット・フィードバックを形成する一方で、完全報告は、複数ビット・フィードバック報告を形成する。報告機構は、逆リンク物理層信号伝達を介して提供される。すなわち、報告情報は、物理層データ・フレーム内に組み込まれる。最善に報告を通信する手段である物理層を用いることによって、適時の報告配信が確実なものとなる。差分報告及び完全報告は、同一の又は異なるチャンネルを介して伝達することができる。これらの報告の両者が同一のチャンネルを介して送信される場合は、チャンネルの符号化レートは、適宜に調節すべきである。更に、これらの報告が異なるチャンネルを介して送信される場合は、これらの報告の間の同期が必要である。完全ＴＶＭＡＲ報告は、ｃｄｍａ２０００逆リンク・レイヤー３・メッセージとして送信することもでき、或いは、この報告は、予備チャンネル要求メッセージ（ＳＣＲＭ）又は予備チャンネル要求ミニ・メッセージ（ＳＣＲＭＭ）のＲＥＱ＿ＢＬＯＢフィールド内に含むことができる。
【００５１】
以下に、典型的なＴＶＭＡＲ＿ＢＬＯＢ報告メッセージのフォーマットを示す。
【００５２】
【表１】
2006513589.tif 000003
【００５３】
一実施において、一連の差分報告が生成され、その後、完全報告が生成される。更に、完全報告の期間の長さ、すなわち完全報告の生成の間の時間が選択可能な値となる。差分報告に対する報告期間は、１つ以上のＲ−ＳＣＨサブフレームである。更に、Ｒ−ＳＣＨのサブフレームは、例えば、出力制御グループ（ＰＣＧ）を形成する。
【００５４】
図６は、パケットベースの通信サービスを規定する無線通信サービスにおいて動作可能な移動局に関連する通信証印の報告を容易にする、一般に１０６で示す、方法を説明する。
【００５５】
まず、ブロック１０８で示すように、通信証印パラメータ種類信号が、移動局に対する通信のために生成される。この信号は、移動局において測定されることになるバッファ状態証印の選択値を代表する値を含む。ブロック１１０で示すように、この信号は、移動局に送信され、そこで検出される。
【００５６】
その後、ブロック１１２で示すように、バッファ状態証印の選択値が測定される。更に、ブロック１１４で示すように、バッファ状態メッセージが、ネットワーク部に対する通信のために生成され、移動局バッファにおけるデータのバッファリング関して報告する。
【００５７】
パケット・スケジューリングのためにどのパラメータを測定し報告を返すべきかについて移動局は命令されるので、改良されたパケット・スケジューリングが可能となる。
【００５８】
上述の記載は、本発明の実施と応用を当業者に明白となるように、本発明を実施するための望ましい例に関するものである。しかしながら、本発明の範囲は、この記載によって必ずしも限定されるべきではない。正確には、本発明の範囲は、特許請求の範囲によって規定される。
【図面の簡単な説明】
【００５９】
【図１】本発明の一実施形態が動作可能な通信システムの機能ブロック図である。
【図２】本発明の一実施形態の動作中に生成される信号伝達を表すメッセージ・シーケンス図である。
【図３】図１に示した通信システムのプロトコル層表現を説明し、やはり本発明の一実施形態を表す図である。
【図４】報告が周期的間隔又は別の選択された間隔で生成される場合に、本発明の一実施形態の動作中に生成される報告値の表示を説明する図である。
【図５】図４と類似するが、ここでは、報告がトリガ・イベントの発生時に生成される本発明の一実施形態の表示を説明する図である。
【図６】本発明の一実施形態の動作方法を列挙するフロー図である。
【図１】
2006513589.tif 000004
【図２】
2006513589.tif 000005
【図３】
2006513589.tif 000006
【図４】
2006513589.tif 000007
【図５】
2006513589.tif 000008
【図６】
2006513589.tif 000009
【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
移動局が通信すべく動作可能な無線通信システム（１０）のネットワーク部（１４，２２）に対する無線資源管理装置（３８）であって、
少なくとも第１のパラメータを選択的に識別する報告情報識別子（４２）であって、前記少なくとも第１のパラメータの値は移動局が生成する報告内に含まれることになる、報告情報識別子（４２）と、
通信のためのメッセージ（７２）を前記移動局（１２）に対して生成するメッセージ生成器（４２）であって、前記メッセージ生成器（４２）によって生成される前記メッセージは少なくとも第１のパラメータ（ＴＶＭＡＲパラメータ）の識別を含み、前記少なくとも第１のパラメータの値は前記移動局が生成する報告（７４）内に含まれることになる、メッセージ生成器と、
で構成される、無線資源管理装置（３８）。
【請求項２】
前記ネットワーク部は、レイヤー３論理層を含む論理層に関して規定され、
前記信号生成器は、前記レイヤー３論理層において具現される、請求項１に記載の無線資源管理装置（３８）。
【請求項３】
前記メッセージ生成器によって生成される前記メッセージは、レイヤー３メッセージで構成される、請求項２に記載の無線資源管理装置（３８）。
【請求項４】
前記報告情報識別子（４２）は、前記レイヤー３論理層において具現される、請求項２に記載の無線資源管理装置（３８）。
【請求項５】
前記レイヤー３論理層は、無線リンク・プロトコル層及びその間のレイヤー３論理層で構成され、
前記メッセージ生成器（４２）は、前記無線リンク・プロトコル層の下のレイヤー３論理層において具現される、
請求項２に記載の無線資源管理装置（３８）。
【請求項６】
前記メッセージ生成器（４２）によって生成される前記メッセージ（７２）は、前記無線リンク・プロトコル層メッセージの下のレイヤー３で構成される、請求項５に記載の無線資源管理装置（３８）。
【請求項７】
前記報告情報識別子（４２）は、前記無線リンク・プロトコル層の下の前記レイヤー３論理層において具現される、請求項５に記載の無線資源管理装置（３８）。
【請求項８】
前記メッセージ生成器（４２）によって生成される前記メッセージ（７２）は、少なくとも前記第１のパラメータの値を含むようにフォーマットされる、請求項１に記載の無線資源管理装置（３８）。
【請求項９】
前記少なくとも第１のパラメータ（ＴＶＭＡＲパラメータ）は、第２のパラメータで更に構成され、
前記メッセージ生成器（４２）によって生成される前記メッセージは、前記第２のパラメータの値を含むように更にフォーマットされる、
請求項８に記載の無線資源管理装置（３８）。
【請求項１０】
前記無線通信システム（１０）は、１ｘＥＶ−ＤＶデータ・サービスを提供し、
前記無線通信システム（１０）は、レイヤー３論理層を含む論理層に関して規定され、
前記メッセージ生成器（４２）によって生成される前記メッセージ（７２）は、１ｘＥＶ−ＤＶ・レイヤー３信号で構成される、
請求項１に記載の無線資源管理装置（３８）。
【請求項１１】
その間で通信が実現可能であるネットワーク部と移動局（１２）とを有する無線通信システム（１０）のための方法であって、
少なくとも第１のパラメータ（ＴＶＭＡＲパラメータ）を識別する動作（４２）であって、前記少なくとも第１のパラメータの値は移動局が生成する報告（７４）内に含まれることになる、識別する動作（４２）と、
通信のための信号（７２）を前記移動局（１２）に対して生成する動作であって、前記信号は前記識別する動作の間に識別される前記第１のパラメータの指示を含む、生成する動作と、
で構成される方法。
【請求項１２】
前記無線通信システム（１０）は、１ｘＥＶ−ＤＶデータ・サービスを提供し、
前記生成する動作（７２）の間に生成される前記信号は、１ｘＥＸ−ＤＶ・レイヤー３信号で構成される、
請求項１１に記載の方法。
【請求項１３】
前記生成する動作は、前記第１のパラメータの値を含むように前記信号をフォーマットする動作で更に構成される、請求項１１に記載の方法。
【請求項１４】
前記識別する動作（４２）の間に識別される少なくとも前記第１のパラメータ（ＴＶＭＡＲパラメータ）は、第２のパラメータで更に構成され、
前記フォーマットする動作は、前記第２のパラメータの値を含むように前記信号をフォーマットすることで更に構成される、
請求項１３に記載の方法。
【請求項１５】
前記ネットワーク部（１４，２２）は、レイヤー３論理層を含む論理層に関して規定され、
前記生成する動作（７２）の間に生成される前記信号は、前記レイヤー３論理層において生成される、
請求項１１に記載の方法。
【請求項１６】
前記ネットワーク部は、レイヤー３論理層を含む論理層に関して規定され、
前記生成する動作（７２）の間に生成される前記信号は、レイヤー３信号で構成される、
請求項１１に記載の方法。
【請求項１７】
前記ネットワーク部（１４，２２）は、レイヤー３論理層を含む論理層に関して規定され、
前記識別する動作（４２）の間に実行される識別は、前記レイヤー３論理層において実行される、
請求項１１に記載の方法。
【請求項１８】
前記ネットワーク部（１４，２２）は、無線資源管理器（３６）で構成され、
前記識別する動作（４２）は、前記無線資源管理器によって実行される、
請求項１１に記載の方法。
【請求項１９】
前記ネットワーク部（１４，２２）は、無線資源管理器で構成され、
前記生成する動作（７２）は、前記無線資源管理器によって実行される、
請求項１１に記載の方法。
【請求項２０】
前記ネットワーク部（１４，２２）は、基地局で構成され、前記方法は、前記生成する動作の間に生成される前記信号を送信する動作で更に構成される、請求項１１に記載の方法。
【国際調査報告】
2006513589.tif 000010